(57)【要約】【課題】取付用レールに取付けられた場合に隣接する他の電子機器に悪影響を与えることなく内部で生成された熱気を外部へ放出させることができ、かつ、小型化することができる電子機器を提供する。【解決手段】電子機器１００は、その上面１００ｄにカメラ用インターフェイス１０８，１０９を有し、その正面１００ａに液晶パネル１０１および設定ボタン１０２を有し、その下面１００ｂに電源用インターフェイス１０６ならびに計測制御信号入出力用インターフェイス１０４，１０５を有し、かつその内部にファン１５０を有している。ファン１５０は、側面１００ｆの開口１０７を通じて外部空間へ内部の熱気を放出する。また、開口１０７の近傍の外部空間はダクト５００によって覆われている。ダクト５００は、取付用レール４００の延在方向とは異なる方向に沿って流れるように熱気の方向を変更する。【選択図】図６
2008124128.tif 000002
【特許請求の範囲】
【請求項１】
電子部品と、
前記電子部品を内包し、取付用のレールが挿入されるレール用溝が設けられ、かつ、前記電子部品の発熱によって生成された熱気が前記レール用溝の延在方向に沿って外部へ放出されるように設けられた開口を有する筐体と、
前記筐体内に設けられ、前記熱気が前記開口を通過するように送風するファンと、
前記筐体の外部の前記開口の周辺の空間を覆うように設けられ、前記開口を通った後の前記熱気が流れる方向を前記取付用レールの延在方向とは異なる方向に変更するダクトとを備えた、電子機器。
【請求項２】
前記筐体は、６つの主表面を有するほぼ直方体状の外形を有しており、前記レール用溝が設けられている主表面およびそれに対向する主表面とは異なる主表面であって、前記レール用溝の延在方向に沿って延びる１の主表面および他の主表面を含んでおり、
前記１の主表面および前記他の主表面には、それぞれ、前記電子部品と電気的に接続される他の外部機器との電気的な接続を可能にするインターフェイスが設けられた、請求項１に記載の電子機器。
【請求項３】
前記１の主表面および前記他の主表面には、カメラによって取得された画像データが入力されるカメラ用インターフェイスと、外部の表示装置に画像データを出力する表示装置用インターフェイスと、電源に電気的に接続される電源用インターフェイスと、計測制御信号を入出力するための制御信号用インターフェイスとが設けられた、請求項２に記載の電子機器。
【請求項４】
前記レール用溝が設けられている主表面に対向する主表面に当該電子機器の操作を行なうための操作部が設けられた、請求項２に記載の電子機器。
【請求項５】
前記ダクトが前記筐体に対して着脱自在に設けられた、請求項１に記載の電子機器。
【発明の詳細な説明】
【技術分野】
【０００１】
本発明は、内部の電子部品によって生成された熱気を外部へ放出するためのファンを備えた電子機器に関するものである。
【背景技術】
【０００２】
従来から、ＤＩＮ（ドイツ工業規格）レールと呼ばれる取付用レールに沿って電子機器が取付けられている。この電子機器においてはその筐体の内部における電子部品が発熱する。そのため、直方体形状を有する筐体の１つの主表面に設けられた開口から電子部品によって生成された熱気を外部に放出する必要がある。この開口を通じて熱気を外部空間へ放出するために、ファンが筐体内に設けられている。また、電子機器は、通常、取付用レールに沿って複数の電子機器が取付けられている。
【特許文献１】特開平６−３１０８８９号公報
【特許文献２】特開２００２−１００８９０号公報
【発明の開示】
【発明が解決しようとする課題】
【０００３】
従来の電子機器においては、電子機器から取付用レールが延びる方向に対して垂直な方向に送風が行なわれるようにファンが取付けられている。これによれば、複数の電子機器が取付用レール上に並べて取付けられても、一の電子機器が放出する熱気が、他の電子機器へ悪影響を及ぼすことはない。
【０００４】
しかしながら、取付用レールに多数の電子機器を取付ける必要がある場合には、電子機器そのものを小型化して、複数の取付用レールを隣接して配置する必要がある。この場合、電子機器そのものを小型化すると、インターフェイス、操作部、および表示部等の適切な配置のために、前述の電子部品によって生成された熱気を取付用レールに沿って放出するようにファンを設けなくてはならない場合がある。この場合には、一の電子機器が放出する熱気が、他の電子機器へ悪影響を及ぼしてしまうという問題が生じる。
【０００５】
つまり、複数の電子機器が取付用レールに取付けられる場合に、電子機器の小型化および排熱による隣接する他の電子機器への悪影響の防止の双方を実現することができる電子機器は存在しない。
【０００６】
本発明は、上述の問題に鑑みなされたものであり、その目的は、取付用レールに取付けられた場合に隣接する他の電子機器に悪影響を与えることなく内部で生成された熱気を外部へ放出させることができ、かつ、小型化することができる電子機器を提供することである。
【課題を解決するための手段】
【０００７】
本発明の電子機器は、電子部品と、電子部品を内包し、取付用のレールが挿入される取付用レール溝が設けられ、かつ、電子部品の発熱によって生成された熱気が取付用レール溝の延在方向に沿って外部へ放出されるように設けられた開口を有する筐体と、筐体内に設けられ、熱気が前記開口を通過するように送風するファンと、筐体の外部の開口の周辺の空間を覆うように設けられ、開口を通った後の熱気が流れる方向を取付用レールの延在方向とは異なる方向に変更するダクトとを備えている。
【０００８】
上記の構成によれば、電子部品が発した熱気が取付用レール溝が延びる方向とは異なる方向に沿ってダクトから外部空間へ排出されるため、複数の電子機器が取付用レール上に互いに隣接するように設けられていても、一の電気機器が排出する熱気が隣接する他の電子機器に悪影響を及ぼすことが防止される。
【０００９】
また、筐体は、６つの主表面を有するほぼ直方体状の外形を有しており、取付用レール溝が設けられている主表面およびそれに対向する主表面とは異なる主表面であって、取付用レール溝の延在方向に沿って延びる１の主表面および他の主表面を含んでいる。また、１の主表面および他の主表面には、それぞれ、電子部品と電気的に接続される他の外部機器との電気的な接続を可能にするインターフェイスが設けられていてもよい。
【００１０】
また、１の主表面および他の主表面には、カメラによって取得された画像データが入力されるカメラ用インターフェイスと、外部の表示装置に画像データを出力する表示装置用インターフェイスと、電源に電気的に接続される電源用インターフェイスと、計測制御信号を入出力するための制御信号用インターフェイスとが設けられていてもよい。
【００１１】
また、取付用レール溝が設けられている主表面に対向する主表面に当該電子機器の操作を行なうための操作部が設けられていてもよい。
【００１２】
上記のような電子機器は、取付用レールが延びる方向に沿った位置に存在する主表面以外の他の主表面には開口を設けることができないため、前述のダクトは極めて有効に機能する。
【００１３】
また、ダクトが前記筐体に対して着脱自在に設けられていれば、必要に応じてダクトを用いることができる。
【発明の効果】
【００１４】
上記の発明によれば、取付用レールに取付けられた場合に隣接する他の電子機器に悪影響を与えることなく内部で生成された熱気を外部へ放出させることができ、かつ、小型化することができる電子機器が得られる。
【発明を実施するための最良の形態】
【００１５】
以下、図を参照しながら、本発明の実施の形態の電子機器を説明する。
なお、実施の形態の電子機器は、センサとしてカメラ２００を備え、画像処理装置としてコントローラ１００を備え、それらが互いに信号線３００によって電気的に接続された計測機器である。しかしながら、本発明は、計測機器に限定されるのではなく、熱を発生する電子部品が内蔵されており、筐体１０００内に電子部品によって生成された熱気を外部へ放出するためのファンが設けられている電子機器であれば、いかなる電子機器にも適用される。
【００１６】
図１に示されるように、本発明の電子機器としての計測装置は、計測対象物の画像データを取得するためのカメラ２００と、カメラ２００が取得した画像データを処理するコントローラ１００とを備えている。
【００１７】
カメラ２００は、計測対象物で反射した光の情報を取得するＣＣＤ（Charge Coupled Devise）等の撮像部２０１と、計測対象物に光を照射するための照明部２０２とを備えている。
【００１８】
また、カメラ２００とコントローラ１００とは、ケーブルコネクトなどの信号線３００によって電気的に接続され、カメラ２００で取得された画像データが信号線３００を通じてコントローラ１００へ送信される。
【００１９】
図１〜図７に示すように、コントローラ１００は、筐体１０００を有している。筐体１０００は、正面１００ａ、背面１００ｂ、上面１００ｄ、下面１００ｃ、ならびに、両側面１００ｅおよび１００ｆを有している。
【００２０】
正面１００ａには、カメラ２００によって取得された画像が表示されるＬＣＤ（Liquid Crystal Display）１０１が設けられている。ＬＣＤ１０１は、タッチパネルになっている。また、正面１００ａには、コントローラ１００を操作するための操作部としての設定ボタン１０２とが設けられている。設定ボタン１０２の操作により、ＬＣＤ１０１に表示される画像の表示態様等が変更される。
【００２１】
また、背面１００ｂには、図５〜図７に示されるように、取付用レール４００に挿入される取付用レール溝１１０が設けられている。取付用レール溝１１０は、背面１００ｂ上において、側面１００ｅから側面１００ｆへそれぞれの側面と垂直に交差するように延びている。
【００２２】
また、図６に示すように、上面１００ｄには、２つのカメラ用インターフェイス１０７および１０８が設けられている。これらのカメラ用インターフェイス１０７および１０８を通じて、互いに異なるカメラによって取得された計測対象物の２つの画像データがそれぞれコントローラ１００へ送信される。
【００２３】
さらに、上面１００ｄには、外部表示装置にアナログＲＧＢ信号を出力するための表示装置用インターフェイス１０９が設けられている。表示装置用インターフェイス１０９は、外部の表示装置に接続され、それに対して、ＬＣＤ１０１に表示される画像と同一の画像を表示させることができる。
【００２４】
また、下面１００ｃには、図５に示すように、電源と接続される電源用インターフェイス１０６と、コントローラ１００を制御するための制御信号が入出力される２つの計測制御信号用インターフェイス１０４および１０５が設けられている。
【００２５】
また、一方の側面１００ｆには、コントローラ１００内の電子部品によって生成された熱気を外部へ放出するための開口１１１が設けられている。また、図６に示されるように、筐体１０００内の開口１１１の近傍には、開口１１１を通じて、外部へ熱気を放出するための気流を生成するファン１５０が設けられている。ファン１５０が生成した空気は、取付用レール４００が延びる方向に沿って筐体１０００内の空間から開口１１１を通過し筐体１０００外部の空間へ流れる。
【００２６】
また、図５および図６に示すように、筐体１０００の外部の開口１１１の近傍の空間を覆うようにダクト５００が設けられている。ダクト５００は、筐体１０００に対して着脱自在に設けられている。また、ダクト５００の先端には開口５０１が設けられている。開口５０１は、上面１００ｄとほぼ同一平面内に位置付けられている。したがって、図６に矢印Ａで示されるように、ファン１５０が回転すると、コントローラ１００内の電子部品によって生成された熱気は、開口１１１を通じて、コントローラ１００の外部に出され、ダクト５００が延びる方向に沿って、すなわち取付用レール４００が延びる方向に略垂直な方向に沿って、さらに言い換えれば上面１００ｄに対して垂直な方向に沿って外部空間へ放出される。
【００２７】
このような、本実施の形態のコントローラ１００の構造によれば、コントローラ１００が取付用レール４００に取付けられたときには、図５および図６に示すように、熱気は、取付用レール４００が延びる方向に対して垂直な方向に放出される。したがって、コントローラ１００が取付用レール４００上にコントローラ１００に隣接して他の電子機器に接近して設けられても、コントローラ１００から排出される熱気が、他の電子機器に対して悪影響を及ぼすことが防止される。
【００２８】
また、筐体１０００は、６つの主表面を有するほぼ直方体状の外形を有している。また、図５および図６に示されるように、取付用レール溝１１０が設けられている背面１００ｂおよびそれに対向する正面１００ａではなく、取付用レール溝１１０の延在方向に沿って延びる上面１００ｄおよび下面１００ｃには、それぞれ、電子部品と電気的に接続される他の外部機器との電気的な接続を可能にするカメラ用インターフェイス１０７，１０８および計測制御信号用インターフェイス１０４，１０５が設けられている。
【００２９】
上記のような電子機器は、取付用レール溝１１０が延びる方向に沿った位置に存在する上面１００ｄおよび下面１００ｃには開口１１１を設けることができないため、前述のダクト５００は、電子機器のサイズを小さくしながら隣接する電子機器への熱気による悪影響を抑制するためには極めて有効な手段である。
【００３０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３１】
【図１】実施の形態のカメラおよびコントローラの斜視図である。
【図２】実施の形態のコントローラの一方の側面図である。
【図３】実施の形態のコントローラの背面図である。
【図４】実施の形態のコントローラの底面図である。
【図５】実施の形態のコントローラが取付用レールに取付けられた状態を示す斜視図である。
【図６】実施の形態のコントローラが取付用レールに取付けられた状態を示す正面図である。
【図７】コントローラの取付用レール取付け用の溝を説明するための図である。
【符号の説明】
【００３２】
１００  コントローラ、１０１  ＬＣＤ、１０２  設定ボタン、１０４，１０５  計測制御信号用インターフェイス、１０６  電源用インターフェイス、１０７，１０８  カメラ用インターフェイス、１０９  外部表示装置用インターフェイス、１１０  取付用レール溝、１１１  開口、２００  カメラ、２０１  撮像部、２０２  照明部、３００  信号線、４００  取付用レール、５００  ダクト、５０１  開口、Ａ  熱気の流れを示す矢印、１００ａ  正面、１００ｂ  背面、１００ｃ  下面、１００ｄ  上面、１００ｅ，１００ｆ  側面、１０００  筐体。
【図１】
2008124128.tif 000003
【図２】
2008124128.tif 000004
【図３】
2008124128.tif 000005
【図４】
2008124128.tif 000006
【図５】
2008124128.tif 000007
【図６】
2008124128.tif 000008
【図７】
2008124128.tif 000009